(57)【要約】      （修正有）【課題】組立てが容易にして、パレットサポート枠体が形成する六面体の収納空間に対し、その側面から物品の出し入れ作業が円滑に行えるパレットサポートの組立具を提供する。【解決手段】二本の支柱２を平行配設し、両支柱を連結固着すると共に両支柱の上端に段積み用受片４を設け、且つ受片４の裏面側に被装着金具５を設ける一方、両支柱２の下端部２２にパレット９へ係止できる係止部を設けた一対の金属製枠フレーム１と、棒状主部７１の両端に装着金具７２を設けた一対の金属製連結部材７と、を具備し、係止部をパレット９の矩形基台に係る対向二辺部９１，９２の各端部に係止させて、パレット９に対し一対の前記枠フレーム１を起立させ、両枠フレーム１の両サイド１ａ，１ｂにて対向する被装着金具５に装着金具７２を取付けることにより、連結部材７で両枠フレーム１を連結し、パレット９上に収納空間Ｓを有する平面視開口四角形のパレットサポートの枠体Ｆが組立て形成される。【選択図】図１
0003155486.tif 000002
【実用新案登録請求の範囲】
【請求項１】
二本の支柱(2,2)を平行配設し、その両支柱をバー又は板材で連結固着すると共に、両支柱(2,2)の上端(21)にそれぞれ段積み用受片(4)を設け、且つ該受片の裏面(4b)側に被装着金具(5)を設ける一方、両支柱(2,2)の下端部(22)にパレット(9)へ係止できる係止部(6)を設けた一対の金属製枠フレーム(1,1)と、
棒状主部(71)の両端に装着金具(72)を設けた一対の金属製連結部材(7,7)と、を具備し、
前記係止部をパレット(9)の矩形基台に係る対向二辺部(91,92)の各端部に係止させて、該パレットに対し一対の前記枠フレーム(1,1)を起立させ、両枠フレーム(1,1)の両サイド(1a,1b)にて対向する前記被装着金具(5,5)に前記装着金具(72,72)を取付けることにより、前記連結部材(7)で両枠フレーム(1,1)を連結し、パレット(9)上に収納空間(S)を有する平面視開口四角形のパレットサポートの枠体(F)が組立て形成されることを特徴とするパレットサポートの組立具。
【請求項２】
前記枠フレーム(1,1)の各受片(4)の下面(4b)側に、該枠フレームの正面視で、板片(15)が枠フレーム中央側に位置する該受片(4)の先端部(41)から前記支柱(2)側の基端部(42)へ向け下降傾斜するように固着され、さらに該板片の下面(15b)に、扁平筒状の前記被装着金具(5)が前記先端部(４1)側から前記基端部(42)側へ向け下降傾斜するようにして固着される一方、前記装着金具(72)は前記主部(71)から直角に屈曲して延設される板状突出部(72a)にして、前記パレット(9)に対し起立させた両枠フレーム(1,1)の両サイド(1a,1b)にて対向する前記被装着金具(5,5)に、該突出部(72a)を挿入することにより、連結部材(7)で両枠フレーム(1,1)を連結する請求項１記載のパレットサポートの組立具。
【請求項３】
前記被装着金具(5)の筒口(50)を前記先端部(41)側から前記基端部(42)側へ向け小さくすると共に、前記突出部(72a)は主部(71)寄り基端(α)から先端(β)に向け、前記筒口(50)に合わせてその幅を小さくした請求項２記載のパレットサポートの組立具。
【請求項４】
前記連結部材(7)の主部(71)が筒状パイプを扁平化させた部材からなり、さらに前記支柱(2)はＬ型鋼製で、該支柱の長手方向に対し直交する平板状隅板片(18)が該支柱下端部(22)に固着され、且つ該隅板片(18)の下面(18b)に突起片(6a)からなる前記係止部(6)が垂設され、その突起片(6a)の板幅(W1)をパレット(9)の上面に形成された通孔(95)の孔幅(W2)に合わせて、該通孔(95)への該突起片(6a)の挿着により、Ｌ型鋼製支柱(2)の前記隅板片(18)よりも下方部位のＬ型内壁面(29)をパレット(9)の角部側壁(99)に当接させると共に、前記隅板片(18)をパレット(9)の角部上面(9a1)に当接させて、一対の枠フレーム(1,1)がパレット(9)に対し起立する請求項３記載のパレットサポートの組立具。
【考案の詳細な説明】
【技術分野】
【０００１】
本考案は、パレット間に物品の収容空間を形成して、上下に積重ね可能にするパレットサポートの組立具に関する。
【背景技術】
【０００２】
例えば、パレット上にパレットサポートの各パーツを組付け、段積み可能にしてパレット間に物品の収納空間を形成し、各種物品の保管や輸送に供する一方、不使用時には分解してコンパクト化が図れるパレットサポートの組立具がある。
そして、パレットサポートが形成する収容空間への出し入れを容易にする組立式パレットも提案されている（例えば特許文献１）。
【先行技術文献】
【特許文献】
【０００３】
【特許文献１】特開２０００−１６８７７５号公報
【考案の開示】
【考案が解決しようとする課題】
【０００４】
しかるに、特許文献１の組立式パレットは、「組立式パレットにおけるパネルの上端コーナー部となる箇所に、水平なヒンジ軸を中心として上下方向に回転可能に、且つ上方へ回転させた時にパレット上端面コーナー部に乗り、下方に回転させた時はパネル外側面に沿う段積み用のフラップを設けた」構成にとどまり、パレットサポートの収容空間への出し入れの作業性向上には限界があった。確かに「段積みを安定するフラップは、段積み時のみパレットコーナー部にセットすればよいので、当該パレットに入れる作業の際にも邪魔にならない」が、それは平面視開口四角形に形成されたパレットサポート枠体の上方からパレット上に物品を入れる場合に限られていた。現実の作業では、図１の鎖線矢印に示すごとく、パレットサポート枠体の側方からその収容空間へ物品の出し入れする作業の要望も高かった。しかしながら、こうした要望も特許文献１の組立式パレットでは対応できなかった。パレットサポート枠体で、収納空間を形成する六面体の各側面は第１パネル,第２パネル、さらに縦補強材が在り、その側面を横切って収容空間へ出入りするのを拒んだ。他の従来品も、組立式パレットがその構造上、一定の強度を必要とすることから、収納空間を形成するパレトサポート枠体の六面体の各側面に、収納空間への物品の出し入れを妨げる補強部材が存在しており、対応できないでいた。
【０００５】
本考案は上記問題点を解決するもので、組立てが容易にして、パレットサポート枠体が形成する六面体の収納空間に対し、その側面から物品の出し入れ作業が円滑に行えるパレットサポートの組立具を提供することを目的とする。
【課題を解決するための手段】
【０００６】
上記目的を達成すべく、請求項１に記載の考案の要旨は、二本の支柱(2,2)を平行配設し、その両支柱をバー又は板材で連結固着すると共に、両支柱(2,2)の上端(21)にそれぞれ段積み用受片(4)を設け、且つ該受片の裏面(4b)側に被装着金具(5)を設ける一方、両支柱(2,2)の下端部(22)にパレット(9)へ係止できる係止部(6)を設けた一対の金属製枠フレーム(1,1)と、棒状主部(71)の両端に装着金具(72)を設けた一対の金属製連結部材(7,7)と、を具備し、前記係止部をパレット(9)の矩形基台に係る対向二辺部(91,92)の各端部に係止させて、該パレットに対し一対の前記枠フレーム(1,1)を起立させ、両枠フレーム(1,1)の両サイド(1a,1b)にて対向する前記被装着金具(5,5)に前記装着金具(72,72)を取付けることにより、前記連結部材(7)で両枠フレーム(1,1)を連結し、パレット(9)上に収納空間(S)を有する平面視開口四角形のパレットサポートの枠体(F)が組立て形成されることを特徴とするパレットサポートの組立具にある。
請求項２の考案たるパレットサポートの組立具は、請求項１で、枠フレーム(1,1)の各受片(4)の下面(4b)側に、該枠フレームの正面視で、板片(15)が枠フレーム中央側に位置する該受片(4)の先端部(41)から前記支柱(2)側の基端部(42)へ向け下降傾斜するように固着され、さらに該板片の下面(15b)に、扁平筒状の前記被装着金具(5)が前記先端部(４1)側から前記基端部(42)側へ向け下降傾斜するようにして固着される一方、前記装着金具(72)は前記主部(71)から直角に屈曲して延設される板状突出部(72a)にして、前記パレット(9)に対し起立させた両枠フレーム(1,1)の両サイド(1a,1b)にて対向する前記被装着金具(5,5)に、該突出部(72a)を挿入することにより、連結部材(7)で両枠フレーム(1,1)を連結することを特徴とする。
請求項３の考案たるパレットサポートの組立具は、請求項２で、被装着金具(5)の筒口(50)を前記先端部(41)側から前記基端部(42)側へ向け小さくすると共に、前記突出部(72a)は主部(71)寄り基端(α)から先端(β)に向け、前記筒口(50)に合わせてその幅を小さくしたことを特徴とする。
請求項４の考案たるパレットサポートの組立具は、請求項３で、連結部材(7)の主部(71)が筒状パイプを扁平化させた部材からなり、さらに前記支柱(2)はＬ型鋼製で、該支柱の長手方向に対し直交する平板状隅板片(18)が該支柱下端部(22)に固着され、且つ該隅板片(18)の下面(18b)に突起片(6a)からなる前記係止部(6)が垂設され、その突起片(6a)の板幅(W1)をパレット(9)の上面に形成された通孔(95)の孔幅(W2)に合わせて、該通孔(95)への該突起片(6a)の挿着により、Ｌ型鋼製支柱(2)の前記隅板片(18)よりも下方部位のＬ型内壁面(29)をパレット(9)の角部側壁(99)に当接させると共に、前記隅板片(18)をパレット(9)の角部上面(9a1)に当接させて、一対の枠フレーム(1,1)がパレット(9)に対し起立することを特徴とする。
【考案の効果】
【０００７】
本考案のパレットサポートの組立具は、枠フレームと連結部材とで組立てや分解が簡単であるばかりか、パレット上でパレットサポートがつくる六面体の収納空間の側面で、被装着金具に連結部材の両装着金具が取付けられる側面にあっては、受片裏面側の高い地点に被装着金具を設け、該被装着金具に連結部材が装着して両枠フレームを連結するので、枠体側面の開口を大きくでき、そこから収容空間への物品の出し入れがスムーズとなり、パレットサポート枠体の段積み状態にあっても、物品の出し入れ作業の飛躍的向上が図れるなど多大な効を奏する。
【図面の簡単な説明】
【０００８】
【図１】本考案のパレットサポートの組立具を用いて、パレット上に組立て形成されたパレットサポートの枠体の概略斜視図である。
【図２】（イ）が図１の枠フレームの正面図で、（ロ）が（イ）のIV-IV線矢視図である。
【図３】（ロ）が図１の連結部材の正面図で、（イ）が（ロ）の平面図で、（ハ）が（ロ）の側面図である。
【図４】パレット上に枠フレームを起立させた後、被装着金具に連結部材の両装着金具を取付けることにより両枠フレームを連結する断面説明図である。
【図５】被装着金具に装着金具を取付ける図４の様子を示す部分拡大斜視図である。
【図６】パレット上に枠フレームを起立させた状態下、該枠フレームの支柱下端部とパレットとの位置関係を表す説明斜視図である。
【図７】図１でパレット上に組立て形成されたパレットサポートの枠体の正面図である。
【考案を実施するための形態】
【０００９】
以下、本考案に係るパレットサポートの組立具について詳述する。図１〜図７は本考案のパレットサポートの組立具の一形態で、図１はその組立てられた枠体の全体斜視図、図２が枠フレーム、図３は連結部材の説明図で、図４はパレットの対向二辺部の各端部に支柱を係止させて一対の枠フレームを起立させ、さらに両枠フレームを連結部材で連結しようとする説明図、図５は被装着金具に装着金具を取付ける様子の拡大斜視図、図６はパレットに起立した枠フレームの支柱下端部とパレットとの位置関係を表す説明斜視図、図７はパレット上に組立てられたパレットサポート枠体の正面図を示す。
【００１０】
パレットサポートの組立具は、一対の枠フレーム１,１と一対の連結部材７,７とを具備する。本実施形態のパレットサポートの組立具では、別にもう一対の連結部材７,７を備える。
【００１１】
枠フレーム１は、二本の支柱２,２をパレット９の一辺の長さ分だけ離間させて平行配設し、その両支柱２をバー３又は板材で連結固着した金属製部材である。ここでは、両支柱２を棒状バー３で連結固着する。枠フレーム１は図２(イ)に示すような略四角形枠状にして左右対称の平面的な部材である。両支柱２,２の上端２１には、それぞれ段積み用受片４が設けられ、且つ該受片４の裏面４ｂ側にポケット状の被装着金具５が設けられる。一方、両支柱２,２の下端部２２には、パレット９へ着脱自在に係止できる係止部６が設けられる。パレットサポートの組立具として、斯かる枠フレーム１の同形状品が一対用意される。一対の枠フレーム１,１の各係止部６をパレット９の矩形基台に係る対向二辺部９１,９２の各端部９１１,９２１に係止させて、該パレット９に対し両枠フレーム１が起立する。さらに、両枠フレーム１を連結部材７で連結して立体的なパレットサポートの枠体Ｆが組立てられていく。
【００１２】
ここで、本発明でいう下方とはパレット９上にパレットサポートの枠体Ｆを組立てた図１,図７の状態で見たときの紙面下方を指し、本発明でいう上方とは図１,図７の状態で見たときの紙面上方を指す。「支柱２の下端部２２」は、枠フレーム１の係止部６をパレット９の対向二辺部９１,９２の端部９１１,９２１に係止させて、該パレット９に対し起立させた枠フレーム１,支柱２の起立状態下における支柱下端部で、図２では支柱２の紙面下端部位が相当する。「支柱２の上端２１」は、パレット９に対し起立させた枠フレーム１,支柱２の起立状態下における支柱上端で、図２では支柱２の紙面上端が相当する。「受片４の裏面４ｂ」は、段積みされる別のパレットサポートを受け支える表面４ａと反対側の面で、パレット９に対し支柱２が起立状態にある時の受片４の下面が相当する。
【００１３】
本実施形態は、図２のように一の枠フレーム１に金属製バー３が二本用いられている。支柱２の中間位置よりも上端寄りの高さで一のバー３が両支柱２を連結する。また、両支柱２の下端部２２の箇所で、他のバー３が両支柱２を連結する。枠フレーム１の機械的強度を高め、フレームとしての保形維持を図るためである。図１〜図７は簡略図示するが、実際のバー３は筒状パイプを扁平化させた棒状部材からなり、その両端部３１,３１をさらに潰し板状化して支柱２に溶接固定する。
【００１４】
支柱２はその形状を特に問わないが、ここでの支柱２はＬ型鋼製の棒状部材である。その支柱下端部２２には支柱２の長手方向に対し直交する平板状隅板片１８がＬ型内壁面２９に固着される(図２,図４,図６)。そして、該隅板片１８の下面１８ｂに、Ｌ型鋼製の突起片６ａからなる前記係止部６が垂設される。突起片６ａの板幅Ｗ１をパレット９の上面に形成された通孔９５の孔幅Ｗ２に合わせて、通孔９５へ該突起片６ａを挿着することにより、一対の枠フレーム１,１がパレット９に対し起立する。詳しくは、突起片６ａの挿着に加え、Ｌ型鋼製支柱２の隅板片１８よりも下方部位のＬ型内壁面２９をパレット９の角部側壁９９に当接させると共に、隅板片１８をパレット９の角部上面９ａ１に当接させることにより、一対の枠フレーム１,１がパレット９の対向二辺部９１,９２で安定起立する(図６)。
【００１５】
受片４は図１に示すような略方形板で、各支柱２の上端２１に溶接固定される。一対の枠フレーム１,１の各係止部６をパレット９の対向二辺部９１,９２の各端部９１１,９２１に係止させ(図１,図６)、パレット９に対し枠フレーム１を起立させた図１,図２の状態で見た時に、受片４の略方形板の板面４ａが水平面を形成する。パレット９へパレットサポートを組み立てた枠体Ｆが、この水平面を保った受片４上に段積みできるようにするためである。支柱上端２１でＬ型鋼がつくる二辺に、受片４に係る略方形板の外側二辺を合わせ、係止部６をパレット９に係止した図１,図２の状態で、受片４の大半がパレット９の上方位置に配される。また、各受片４の略方形板の外周側二辺から上方へ延設される板状堰が設けられ、該堰に段済みストッパ的役割を担わせる。
【００１６】
パレット９に対し起立する前記枠フレーム１,１の各受片４の下面４ｂ側には、板片１５が取付けられる。各枠フレーム１には、図２(イ)の枠フレームの正面視で、板片１５が枠フレーム１中央側に位置する受片４の先端部４１から前記支柱２側の基端部４２へ向けて下降傾斜するようにして、受片４,支柱２に固着される。板片１５の枠フレーム１中央側は受片４の裏面４ｂに固着され、板片１５の支柱２側は、Ｌ型鋼製支柱２のＬ型内壁面２９に固着される。該板片１５の下面１５ｂに、図２(イ)の正面視のごとく、扁平筒状の前記被装着金具５が、前記先端部４１側から前記基端部４２側へ向け下降傾斜するようにして固着される。一の枠フレーム１に設けられる二つの被装着金具５に係る扁平筒状の両筒孔５５は、図２(イ)の正面視で、四角形枠状の枠フレーム１がつくる平面と平行にして、且つそれぞれが両側支柱２に向けて左右対称のハの字状に下降傾斜する。板片１５の下面に固着される被装着金具５は、パレット９上に一対の枠フレーム１が対向起立する図４の状態で、扁平筒状部の上端内側に切欠部分５７を設けて、連結部材７を挿入し易くしている。また被装着金具５の筒口５０は、前記先端部４１側から前記基端部４２側へ向け小さくして、連結部材７の装着金具７２を挿着し易くしている。
【００１７】
連結部材７は、枠フレーム１と別体で、長尺の棒状主部７１の両端に装着金具７２を設けた金属製部材である(図３)。各係止部６をパレット９の対向二辺部９１,９２の各端部９１１,９２１に係止させて、該パレット９に一対の枠フレーム１,１を起立させた状態下、両枠フレーム１１,１の両サイド１ａ,１ｂにて対向する被装着金具５,５に、図１,図４のごとく、連結部材７の両装着金具７２,７２をそれぞれ着脱自在に取付けることができる。両被装着金具５への装着金具７２の取付けにより、連結部材７でパレット９の対向二辺部９１,９２に起立する両枠フレーム１,１が連結されると、パレット９上に平面視開口四角形で中空六面体のパレットサポートの枠体Ｆが組立て形成される(図１,図７)。
立体的なパレットサポート枠体Ｆが出来た図１で、被装着金具５に取付けて両枠フレーム１,１を連結する連結部材７は、被装着金具５が支柱上端２１に設けた受片４の下面４ｂ側に取付けられ、図示のごとく支柱上端２１域の高さで横架する。枠体Ｆを形成する中空六面体で、枠フレーム１がつくる側面は、図２(イ)のごとくその中間高さ領域にバー３が存在するが、連結部材７がある中空六面体の側面では邪魔をする部材が存在せず、図１の鎖線矢印で示すように、中空六面体内への物品の出し入れが可能になる。
【００１８】
本実施形態の連結部材７は、装着金具７２が直線状主部７１から直角に屈曲して延設される板状突出部７２ａを有する。パレット９に起立させた両枠フレーム１,１の両サイド１ａ,１ｂにて対向する被装着金具５の各筒口５０に該突出部７２ａを挿着して、一対の連結部材７がそれぞれ取付けられることにより、図１,図７のごとく、パレット９上に収納空間Ｓを有する平面視開口四角形のパレットサポートの枠体Ｆが組立て形成される。主部に対し直角に屈曲する突出部７２ａが、図２(イ),図５の矢印のごとく、パレット９中央側の上方地点から支柱２側へ下降傾斜するようにして、両枠フレーム１に設けたポケット状被装着金具５の筒口５０へ挿入されて、枠体Ｆが組立てられる。突出部７２ａは上方の筒口５０から下降傾斜する被装着金具５の筒孔５５へ挿着されるので、連結部材７は挿着を終えた段階で枠フレーム１に安定保持される。突出部７２ａは主部７１寄り基端αから先端βに向け、前記筒口５０に合わせてその幅を小さくする(図３)。
図１は簡略図示するが、ここでの連結部材７は図４,図５のように金属製パイプを扁平化させた主部７１に突出部７２ａを溶接一体化する。図示のごとく板状突出部７２ａの基端α側を主部７１の扁平パイプ孔に挿着後、溶接して接合部７７を形成する。主部７１はパイプを扁平化させたものを用いて、その機械的強度を高めている。
【００１９】
さらに、本実施形態は既述のごとく別にもう一対の連結部材７を備え、また、これらが装着される被装着金具５を枠フレーム１の支柱下端部２２に設けている。
一対の枠フレーム１,１の各係止部６をパレット９に起立させ、両枠フレーム１,１の両サイド１ａ,１ｂにて対向する受片裏面４ｂ側の前記被装着金具５,５に、連結部材７の両装着金具７２,７２を取付けて両枠フレーム１,１を連結するが、両枠フレーム１,１の両サイド１ａ,１ｂにもう一対の連結部材７で連結して、枠体Ｆを頑強にする。詳しくは、係止部６をパレット９の矩形基台に係る対向二辺部９１,９２の各端部９１１,９２１に係止させて、該パレット９に対し一対の前記枠フレーム１,１を起立させた時に、両枠フレーム１,１の両サイド１ａ,１ｂの下端部の箇所にも前記被装着金具５と同形状品が、筒口５０を上方とし且つ筒孔５５を垂直方向になるようして固着されている(図６)。図１に示すように、両枠フレーム１,１の一方のサイド(例えば1a)に在る支柱２,２と、これら両支柱２,２を連結する前記連結部材７とで枠体Ｆがつくる中空六面体の一側面を形成するが、その面を構成する両支柱下端部２２にもう一個の連結部材７用の被装着金具５が固着される。両枠フレーム１,１の他方のサイド(例えば1b)に在る支柱２,２も同様に、両支柱２,２を連結する連結部材７とで中空六面体の一側面を形成するが、その面を構成する両支柱下端部２２にも、もう一個の連結部材７用の被装着金具５が固着される。支柱下端部２２に設けた被装着金具５にもう一対の連結部材７の装着金具７２を取付けることにより、両枠フレーム１,１が二対の連結部材７で連結される。中空六面体の枠体Ｆに係る連結部材７が担う部分が一層頑強になる。もう一対の連結部材７は図示のごとく両枠フレーム１,１の両サイド１ａ,１ｂの下端部域に配される。したがって、二本の連結部材７がある中空六面体(枠体Ｆ)の側面であっても、その側面を使って、図１の鎖線矢印のごとく枠体Ｆ内のパレット９上への物品の出し入れがスムーズにいく。
尚、パレットサポートの枠体Ｆ(F)が組立て形成された図１や図７では、図面を判り易くするため、両支柱下端部２２の被装着金具５に挿着,保持された連結部材７を少し高い位置で描くが、実際の連結部材７はその上縁位置がパレット上面９ａに一致する。図中、符号９ｂはパレット９の下面、符号９ｃはその側面、符号９ｅはフォークリフトの爪の挿入穴、符号９３,９４は本実施形態で使用した対向二辺部９１,９２とは別の対向二辺部９１,９２を示す。
【００２０】
次に、前記パレットサポートの組立具を用いて、パレットサポートの枠体Ｆを組み立てる一方法を説明する。枠体Ｆの組立てに先立ち、前記一対の枠フレーム１と二対の連結部材７が用意される。
まず、矩形基台形状したパレット９の対向二辺部９１,９２に、一対の枠フレーム１を起立させる。パレット９の４つの角部９ｄで、係止部６を通孔９５に挿着すると同時に、支柱２の隅板片１８よりも下方部位のＬ型内壁面２９をパレット９の角部側壁９９に当接させ、且つ隅板片１８をパレット９の角部上面９ａ１に当接させることにより、一対の枠フレーム１,１をパレット９の対向二辺部９１,９２に起立させる(図６)。
【００２１】
その後、図２,図５のごとく、パレット９中央上方地点から支柱２側に、連結部材７の突出部７２ａの先端を下降傾斜させて、該突出部７２ａを受片裏面４ｂ側に在る被装着金具５に挿着し、両枠フレーム１の上端部を連結部材７で連結する。これで、パレット９上に収納空間Ｓを有する平面視開口四角形のパレットサポートの枠体Ｆが組立て形成される。本実施形態は、さらに両枠体Ｆの下端部を連結部材７で連結する。図６のごとく、もう一対の連結部材７に係る突出部７２ａを支柱下端部２２の被装着金具５に挿着し、両枠フレーム１,１の下端部も連結部材７で連結し、パレットサポートの枠体Ｆ(F)の組立てが完了する(図１,図７)。
【００２２】
一方、前記枠体Ｆを分解するときは、受片裏面４ｂ側の被装着金具５に挿着した連結部材７は、その突出部７２ａをパレット９中央側に向けて上方傾斜させて引抜く。これで、受片４側の連結部材７は枠フレーム１から分離する。支柱下端部２２の被装着金具５に挿着した連結部材７は、垂直上方へ引抜くことで枠フレーム１から分離する。これだけで、枠フレーム１は平面的な枠フレーム１と棒状の連結部材７とに分解される。
【００２３】
このように構成したパレットサポートの組立具は、受片４の裏面４ｂ側に設けた被装着金具５に装着金具７２を取付けることにより、連結部材７で両枠フレーム１,１を連結し、パレット９上に収納空間Ｓを有する平面視開口四角形のパレットサポートの枠体Ｆが組立て形成されるので、上面側の平面視開口四角形側からだけでなく、前記連結部材７が在る側面を使って収納空間Ｓ内のパレット９上に物品の出し入れができる。パレット９上にパレットサポートがつくる六面体の収納空間Ｓの側面で、連結部材７が在る側面は、受片裏面４ｂ側の高い地点に被装着金具５を設け、且つ該金具に連結部材７が装着して両枠フレーム１を連結するので、その箇所の枠体Ｆ側面の開口を大きくできる。したがって、作業者はその側面を利用した物品の出し入れが容易になる。被装着金具５及び装着金具７２は、受枠裏面４ｂ側に隠れるので、作業の邪魔にならない。
両支柱２,２の上端２１に受片４を設け、且つ該受片４の裏面４ｂ側に被装着金具５が設けられると、該被装着金具５に取付けられる連結部材７は、パレット９上に起立する両枠フレーム１の支柱上端２１域に横架する。枠体Ｆを形成する中空六面体で、両枠フレーム１を前記連結部材７でつなぐ側面では、連結部材７が受片４の裏面側の高い位置に配設されるので、図１の鎖線矢印で示すように、作業者は中空六面体内への物品の出し入れを円滑に行うことができる。特許文献１も含めて、従来はパレット９上に収納空間Ｓを有する平面視開口四角形のその上面開口を利用するしかなかったが、本考案ではパレット９上で枠体Ｆが形成する平面視開口四角形の中空六面体に係る側面を使って、横から物品の出し入れができるので頗る便利になる。
パレット９に枠体Ｆを取付けたパレットサポート枠体Ｆが段積みされ、その段積みされた高い地点の枠体Ｆでも、その側面を利用して物品の出し入れが円滑にできるので、労力軽減,作業性向上に極めて有効となる。
そして、被装着金具５へは、前記連結部材７の装着金具７２を着脱自在に取付けることができるので、枠フレーム１と連結部材７とで、パレットサポートの枠体Ｆの組立てや分解が容易になる。
【００２４】
また、受片４の下面４ｂ側に、板片１５が枠フレーム１中央側に位置する該受片４の先端部４１から支柱２側の基端部４２へ向け下降傾斜するように固着されるので、該板片１５がパレット９上に起立する支柱２の強度部材になる。
さらに該板片１５の下面１５ｂで、扁平筒状の被装着金具５が先端部４１側から基端部４２側へ向け下降傾斜する一方、装着金具７２は板状突出部７２ａにしているので、パレット９に対し起立させた両枠フレーム１,１の両サイド１ａ,１ｂにて対向する前記被装着金具５(5,5)に、該突出部７２ａ(72a)を挿入し、連結部材７で両枠フレーム１,１を楽に連結できる。枠フレーム１への連結部材７の組立て一体化が一層容易になる。図２,図５のごとく、突出部７２ａが上方の筒口５０から下降傾斜して挿着されるので、被装着金具５へ突出部７２ａを挿着するだけで連結部材７の重量によって枠フレーム１に密着保持される。枠体Ｆの保形維持に優れる。
突出部７２ａは主部７１寄り基端αから先端βに向け、前記筒口５０,筒孔５５に合わせてその幅を小さくするので、被装着金具５の筒口５０への突出部７２ａの挿着し易さと挿着後の一体化を一層高める。
【００２５】
加えて、連結部材７の主部７１が筒状パイプを扁平化させた部材からなると、組立て形成されるパレットサポート枠体Ｆの強度アップが図れる。また、枠体Ｆの外形は扁平化させた分だけ連結部材７の張り出しを小さくでき、同じ設置スペースに枠体Ｆをより数多く設置可能になり収容効率を上げることができる。
さらにいえば、支柱２をＬ型鋼製にし、突起片６ａ,隅板片１８を設ければ、通孔９５への該突起片６ａの挿着による係止にとどまらず、パレット９への支柱２の角部側壁９９に当接、さらにパレット９の角部上面９ａ１への隅板片１８当接で、パレット９に対する枠フレーム１,１の起立がより確実に保たれる。
このように、本パレットサポートの組立具は上記数々の効果を発揮し極めて有益となる。
【００２６】
尚、本考案においては前記実施形態に示すものに限られず、目的,用途に応じて本考案の範囲で種々変更できる。枠フレーム１,支柱２,バー３，受片４,被装着金具５,係止部６,連結部材７,パレット９,枠体Ｆ等の形状,大きさ,個数,材質等は用途に合わせて適宜選択できる。
【符号の説明】
【００２７】
１                枠フレーム
１ａ，１ｂ        両サイド
１５              板片
１５ａ            下面
１８              隅板片
１８ａ            下面
２                支柱
２１              上端
２２              下端部
２９              Ｌ型内壁面
４                受片
４ｂ              下面（裏面）
４１              先端部
４２              基端部
５                被装着金具
５０              筒口
６                係止部
６ａ              突起片
Ｗ１              板幅
７                連結部材
７１              主部
７２              装着金具
７２ａ            突出部
α                基端
β                先端
９                パレット
９ａ１            角部上面
９１,９２        対向二辺部
９５              通孔
Ｗ２              孔幅
９９            角部側壁
Ｆ              枠体（パレットサポートの枠体）
Ｓ              収納空間
【図１】
0003155486.tif 000003
【図２】
0003155486.tif 000004
【図３】
0003155486.tif 000005
【図４】
0003155486.tif 000006
【図５】
0003155486.tif 000007
【図６】
0003155486.tif 000008
【図７】
0003155486.tif 000009